【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
時打ち時計又はオルゴール付き時計（１００）において、振動源、すなわち時打ち輪列、又はオルゴール、或いはアラーム時計から発せられベゼル（３）に伝達される音響信号の拡散を放射状に広げる振動要素としてガラス（２）を用いるため、前記ガラス（２）と、前記ガラス（２）を収容するためのノッチ（３０）を含む前記ベゼル（３）との間の組み立て方法であって、
前記ベゼル（３）から前記ガラス（２）に振動を伝達するための唯一の直接的な機械的リンクを協働して形成することを目的とし且つこの外側ではガラス（２）は前記ベゼル（３）と直接接触しない、接続されていない接合区域の適切な数を定め、
一方では前記ベゼル（３）と直接接触して前記ガラス（２）を支持し堅固に固定するよう前記接合区域（４)の生成と、他方では前記ガラス（２）が前記ベゼル（３）と直接接触せずに面内での振動を可能にするシール区域（４０）の生成とを、交互に行う交互シーケンスを構成し、
前記ベゼル（３）に伝達されるあらゆる振動を前記ガラス（２）に伝達するために、前記ベゼル（３）の接合面（３１）上の各接合区域（４）において支持しクランプすることにより前記ガラス（２）を前記ベゼル（３）に固定し、
前記１つ又は複数の接合区域（４）の外部の周辺空間（７）において、前記周辺空間（７）は前記接合区域（４）とそれらと交互する一連のシール区域（４０）とから形成され、前記各シール区域（４０）は前記ガラス（２）及び１つのシール面（３２）により境界付けられ、前記ガラス（２）は前記ベゼル（３）からある距離に保持され、前記ガラス（２）は妨げられることなく振動することが可能である、
ことを特徴とする組み立て方法。
【請求項２】
前記接合区域（４）の適切な数を定めるために、
音響信号の振動源、すなわちベル、ゴング、又はキーパッドの固有周波数を求めて、前記固有周波数に対応する通過帯域を定め、
前記ガラス（２）の厚みに応じて前記ガラス（２）の固有振動周波数及び高調波を調整し、これらを前記振動源の固有周波数及び人間の耳の通過帯域に対応する通過帯域と一致させるように、前記適切な数の接続されていない接合点（４）の前記ガラス（２）の特性の関数として計算することによって前記ガラス（２）の周りの周辺部の位置決めをシミュレートし、
前記計算に基づいて前記ガラス（２）の固有周波数及び高周波を前記通過帯域と一致させ、値２に最も近い前記接続区域（４）の適切な数を得るように、前記ガラス（２）の厚み及び前記接続区域（４）における前記ガラス（２）と前記ベゼル（３）との間の接触面の厚みを選択する、
ことを特徴とする請求項１に記載の組み立て方法。
【請求項３】
選択される前記接合区域（４）の適切な数は、２に等しいことを特徴とする請求項１または２に記載の組み立て方法。
【請求項４】
少なくとも１つの前記接合区域（４）は、前記ガラス（２）の周辺部を接続片（１１）でライニングすることにより得られ、その内側形状は、一方では前記ガラス（２）の上面（２０）上、他方では前記ガラス（２）の縁部及び／又は内面（２１）上の両方で前記ガラス（２）に支持されることを特徴とする請求項１乃至３の何れか１項に記載の組み立て方法。
【請求項５】
前記ガラス（２）と前記ベゼル（３）の間の空間は、少なくとも１つの可撓性シールストリップ及び／又は少なくとも１つの弾性膜を含むシール手段でシールされることを特徴とする請求項１乃至４の何れか１項に記載の組み立て方法。
【請求項６】
前記ガラス（２）から平衡位置に対して離間して配置された少なくとも１つの緩衝装置（１０）は、前記ベゼルノッチ（３０）又は前記ベゼル（３）に隣接して配置された前記時計（１００）の一部を形成する中間部（６）と、前記ガラス（２）との間に配置されることを特徴とする請求項１乃至５の何れか１項に記載の組み立て方法。
【請求項７】
振動源から発せられた音響信号の拡散を放射状に広げる振動要素としてガラス（２）を用いるように構成された、少なくとも１つの振動源、すなわち時打ち輪列、又はオルゴール、或いはアラーム時計を有する時打ち時計又はオルゴール付き時計（１００）用のガラス・ベゼル組立体ユニット（１）であって、一方には前記振動源から発せられた振動を伝達し且つ前記ガラス（２）を収容するためのノッチ（３０）を含むベゼル（３）と、他方には縁部（２２）により接続される上面（２２）及び下面（２１）を含むような前記ガラス（２）と、を備えたガラス・ベゼル組立体ユニット（１）において、
前記ガラス・ベゼル組立体ユニット（１）は、前記ベゼル（３）と前記ガラス（２）との間で、振動を減衰することなく前記ベゼル（３）から前記ガラス（２）に伝達するための機械的接続部を協働して形成する１つ又はそれ以上の接合区域（４）を備え、前記１つ又はそれ以上の接合区域（４）において前記ベゼル（３）により前記ガラス（２）に伝達される振動の作用により前記ガラス（２）を共振させるようにし、
前記ガラス（２）は、前記接合区域（４）とは異なり且つ振動伝達を減衰させるための周辺空間（７）を形成するシール区域（４０）において前記ベゼル（３）から分離されて、前記シール区域（４０）では面内で振動することができる、
ことを特徴とするガラス・ベゼル組立体ユニット。
【請求項８】
前記接合区域（４）の各々において、前記ガラス（２）の上面（２０）は前記ノッチ（３０）上又は前記ベゼル（３）上に直接載っており、前記縁部（２２）は前記ノッチ（３０）上又は前記ベゼル（３）上に直接的又は間接的に載っており、前記ガラス（２）の下面（２１）は、前記ベゼル（３）上又は前記ガラス（２）を囲むように前記ベゼル（３）に隣接して配置された前記時計（１００）の一部を形成する中間部（６）上に直接的又は間接的に載っていることを特徴とする請求項７に記載のガラス・ベゼル・ユニット。
【請求項９】
前記接合区域（４）の各々において、前記ガラス・ベゼル・ユニット（１）は周辺スペーサ・ブロック（５０）又は下部ブロック（５１）により形成された少なくとも１つの支持ブロック（５）を含むことを特徴とする請求項７又は８に記載のガラス・ベゼル・ユニット。
【請求項１０】
前記周辺ブロック（５０）は、前記ガラス（２）を保持するため、応力を受けて前記ガラス（２）と前記ベゼル（３）との間に取り付けられ、その内側形状が前記ガラス（２）上に載り、その外側形状が前記ベゼル（３）上に載るように構成され、前記ブロック（５０）が取り付けられた前記ガラス（２）は、前記接合区域（４）に設けられたもの以外、前記ベゼル（３）とは直接接触することなく前記ノッチ（３０）内に着座されることを特徴とする請求項９に記載のガラス・ベゼル・ユニット。
【請求項１１】
２つの突出部（３３）を含むベゼル（３）を備え、前記突出部（３３）は前記ガラス（２）を受けるために開口部の中心に向けて半径方向に突出し、各々が前記ガラス（２）の相補的支持面（２３）を受け、且つこれと共に前記接合区域（４）の１つを形成する支持面（３１）を有し、前記支持面（３１）はシール手段（８）を受けるために前記ガラス（２）の自由振動を可能にするような寸法にされたアンダーカットシール面（３２）によって囲まれ、前記各突出部（３３）はクリップ留め又はクランプによりノッチ（２４）と協働するように構成された突起部（３４）または前記相補的支持面（２３）により前記ガラス（２）の上面（２０）から分離された前記ガラス（２）の平坦面を含むことを特徴とする請求項７に記載のガラス・ベゼル・ユニット。
【請求項１２】
前記ガラス（２）及び前記ベゼル（３）が前記接合区域（４）によって接合される前記面の外側において、前記ガラス（２）と前記ベゼル（３）との間に含まれる前記周辺空間（７）は、少なくとも１つの可撓性シールストリップ及び／又は少なくとも１つの弾性膜を含むシール手段（８）によりシールされることを特徴とする請求項７乃至１１の何れか１項に記載のガラス・ベゼル・ユニット。
【請求項１３】
前記ベゼルノッチ（３０）又は前記ベゼル（３）に隣接して配置された前記時計（１００）の一部を形成する中間部（６）と前記ガラス（２）との間に配置され、前記ガラス（２）からその平衡位置に対して離間して配置された少なくとも１つの緩衝装置（１０）を含むことを特徴とする請求項７乃至１２の何れか１項に記載のガラス・ベゼル・ユニット。
【請求項１４】
２つだけの接合区域（４）を含むことを特徴とする請求項７乃至１３の何れか１項に記載のガラス・ベゼル・ユニット。
【請求項１５】
請求項７乃至１４の何れか１項に記載の少なくとも１つのガラス・ベゼル・ユニット（１）を備えた、少なくとも１つの振動源、すなわち時打ち輪列、又はオルゴール、或いはアラーム時計を含む時打ち又はオルゴール時計（１００）であって、前記振動源の振動を前記ベゼル（３）に伝達する中間部（６）を備えることを特徴とする時打ち又はオルゴール時計。